(57)【要約】  【課題】再配達を防止して、配送の更なる効率化を図ることができる宅配ボックスを用いた配送支援技術を提供する。  【解決手段】宅配ボックス１に、宅配ボックス１が有する各ロッカー１０の使用状態を検出させ、ネットワーク５を介して配送管理サーバ２に、各ロッカー１０の使用状態を管理させる。配送管理サーバ２は、受取人の指定を伴う配送先指定要求を配送人端末３から受信すると、この配送先指定要求で指定されている受取人の地点情報と、宅配ボックス１の設置位置情報と、宅配ボックス１が有する各ロッカー１０の使用状態とに基づいて、使用状態「空」のロッカー１０を有し、受取人の登録地点近隣にある宅配ボックス１を特定し、特定した宅配ボックス１のリストを受取人の受取人端末４に表示させる。そして、受取人端末４から配送先の指定を受け付けたならば、この配送先の指定を含む配送先指定通知を配送人端末３に送信する。【選択図】図１
2019032754.tif 000002
【特許請求の範囲】
【請求項１】
配送支援システムであって、
少なくとも一つのロッカーを有する複数の宅配ボックスと、
ネットワークを介して前記宅配ボックスに接続された配送管理サーバと、を備え、
前記宅配ボックスは、
当該宅配ボックスが有する各ロッカーの使用状態を検出する使用状態検出手段と、
前記使用状態検出手段の検出結果を含む使用状態情報を前記配送管理サーバに送信する使用状態情報送信手段と、を有し、
前記配送管理サーバは、
受取人毎に、登録地点を示す地点情報および受取人端末のアドレス情報を含む受取人情報を記憶する受取人情報記憶手段と、
前記宅配ボックス毎に、設置位置情報を含む宅配ボックス情報を記憶する宅配ボックス情報記憶手段と、
前記宅配ボックス毎に、当該宅配ボックスから受信した使用状態情報に基づいて、当該宅配ボックスが有する各ロッカーの使用状態を管理する使用状態管理手段と、
配送人端末から、受取人の指定を伴う配送先指定要求を受信する配送先指定要求受信手段と、
前記配送先指定要求受信手段が受信した配送先指定要求で指定されている受取人について前記受取人情報記憶手段に記憶されている地点情報、前記宅配ボックス情報記憶手段に記憶されている前記宅配ボックス各々の設置位置情報、および前記使用状態管理手段により管理されている前記宅配ボックス各々のロッカーの使用状態に基づいて、使用状態「空」のロッカーを有し、当該受取人の登録地点から所定範囲内に設置されている前記宅配ボックスを特定する宅配ボックス特定手段と、
前記宅配ボックス特定手段が特定した前記宅配ボックスを含む配送先候補リストを、前記配送先指定要求受信手段が受信した配送先指定要求で指定されている受取人の前記受取人情報記憶手段に記憶されているアドレス情報により特定される受取人端末に送信して、当該受取人端末から配送先の指定を受け付ける配送先指定受付手段と、
前記配送先指定受付手段が受け付けた配送先の指定を含む配送先指定通知を、前記配送先指定要求受信手段が受信した配送先指定要求の送信元である前記配送人端末に送信する配送先指定通知送信手段と、を有する
ことを特徴とする配送支援システム。
【請求項２】
請求項１に記載の配送支援システムであって、
前記使用状態管理手段は、
前記配送先指定受付手段が受け付けた指定により特定される前記宅配ボックスの使用状態「空」のロッカーを、当該宅配ボックスより受信する使用状態情報によって「使用中」となるまで「予約済」に変更して管理する
ことを特徴とする配送支援システム。
【請求項３】
請求項１または２に記載の配送支援システムであって、
前記宅配ボックス特定手段は、
前記配送先指定要求受信手段が受信した配送先指定要求で指定されている受取人について前記受取人情報記憶手段に記憶されている地点情報が複数ある場合、当該受取人について前記受取人情報記憶手段に記憶されているアドレス情報により特定される受取人端末に、地点情報のリストを送信して、当該受取人端末から地点情報の選択を受け付け、選択された地点情報を用いて前記宅配ボックスの特定に用いる当該受取人の配送先を決定する
ことを特徴とする配送支援システム。
【請求項４】
請求項１ないし３のいずれか一項に記載の配送支援システムであって、
前記配送先指定要求受信手段は、
前記配送人端末から受取人の指定および受取人宛ての荷物のサイズ、重量を含む荷物情報を伴う前記配送先指定要求を受信し、
前記配送先指定受付手段は、
前記宅配ボックス特定手段が特定した前記宅配ボックス、および前記配送先指定要求受信手段が受信した配送先指定要求で指定されている受取人について前記受取人情報記憶手段に記憶されている地点情報を含む前記配送先候補リストを、当該配送先指定要求に含まれている荷物情報とともに、当該受取人について前記受取人情報記憶手段に記憶されているアドレス情報により特定される受取人端末に送信して、当該受取人端末から配送先となる前記宅配ボックスあるいは当該受取人の登録地点の指定を受け付ける
ことを特徴とする配送支援システム。
【請求項５】
請求項１ないし４のいずれか一項に記載の配送支援システムであって、
前記宅配ボックスは、
当該宅配ボックスが有する各ロッカーの扉の開閉を検出する開閉検出手段と、
前記開閉検出手段による検出結果を含む扉開閉検出通知を前記配送管理サーバに送信する扉開閉検出通知送信手段と、をさらに有し、
前記配送管理サーバは、
前記宅配ボックスより受信した扉開閉検出通知により扉の開閉が検出されたにもかかわらず、前記使用状態検出手段による使用状態が「使用中」のままのロッカーがある場合、当該宅配ボックスに対して当該ロッカーに収容されている荷物の取り忘れを通知する取り忘れ通知手段をさらに有する
ことを特徴配送支援システム。
【請求項６】
少なくとも一つのロッカーを有する複数の宅配ボックスにネットワークを介して接続される配送管理サーバであって、
受取人毎に、地点情報および受取人端末のアドレス情報を含む受取人情報を記憶する受取人情報記憶手段と、
前記宅配ボックス毎に、設置位置情報を含む宅配ボックス情報を記憶する宅配ボックス情報記憶手段と、
前記宅配ボックス毎に、当該宅配ボックスから受信した、当該宅配ボックスが有する各ロッカーの使用状態を示す使用状態情報に基づいて、当該宅配ボックスが有する各ロッカーの使用状態を管理する使用状態管理手段と、
配送人端末から受取人の指定を伴う配送先指定要求を受信する配送先指定要求受信手段と、
前記配送先指定要求受信手段が受信した配送先指定要求で指定されている受取人の前記受取人情報記憶手段に記憶されている地点情報、前記宅配ボックス情報記憶手段に記憶されている前記宅配ボックス各々の設置位置情報、および前記使用状態管理手段により管理されている前記宅配ボックス各々のロッカーの使用状態に基づいて、使用状態「空」のロッカーを有し、当該受取人の登録地点から所定範囲内に設置されている前記宅配ボックスを特定する宅配ボックス特定手段と、
前記宅配ボックス特定手段が特定した前記宅配ボックスを含む配送先候補リストを、前記配送先指定要求受信手段が受信した配送先指定要求で指定されている受取人の前記受取人情報記憶手段に記憶されているアドレス情報により特定される受取人端末に送信して、当該受取人端末から配送先の指定を受け付ける配送先指定受付手段と、
前記配送先指定受付手段が受け付けた配送先の指定を含む配送先指定通知を、前記配送先指定要求受信手段が受信した配送先指定要求の送信元である前記配送人端末に送信する配送先指定通知送信手段と、を有する
ことを特徴とする配送管理サーバ。
【請求項７】
少なくとも一つのロッカーを有する複数の宅配ボックス、およびネットワークを介して前記複数の宅配ボックスに接続した配送管理サーバを用いて、荷物の配送を支援する配送支援方法であって、
前記宅配ボックスは、
当該宅配ボックスが有する各ロッカーの使用状態を検出して、各ロッカーの使用状態の検出結果を含む使用状態情報を前記配送管理サーバに送信し、
前記配送管理サーバは、
前記宅配ボックス毎に、当該宅配ボックスから受信した使用状態情報に基づいて、当該宅配ボックスが有する各ロッカーの使用状態を管理し、
配送人端末から受取人の指定を伴う配送先指定要求を受信した場合、当該配送先指定要求で指定されている受取人の地点情報、前記宅配ボックス各々の設置位置情報、および前記宅配ボックス各々のロッカーの使用状態に基づいて、使用状態「空」のロッカーを有し、当該受取人について登録された地点から所定範囲内に設置されている前記宅配ボックスを特定し、
特定した前記宅配ボックスを含む配送先候補リストを、前記配送先指定要求で指定されている受取人の受取人端末に送信して、当該受取人端末から配送先の指定を受け付け、
受け付けた配送先の指定を含む配送先指定通知を、前記配送先指定要求の送信元である前記配送人端末に送信する
ことを特徴とする配送支援方法。
【発明の詳細な説明】
【技術分野】
【０００１】
本発明は、宅配ボックスを用いた配送支援技術に関する。
【背景技術】
【０００２】
特許文献１には、受取場所の自由度を高めて、効率的な配送を支援する配送支援システムが開示されている。
【０００３】
この配送支援システムは、発送者サーバ、配送管理サーバ、および受取人端末が、ネットワークを介して互いに接続されて構成されている。ここで、発送者サーバあるいは配送管理サーバは、店舗に受取人への荷物が到着したことを示す到着情報を店員から受け付けると、第１の識別情報を含めた到着通知を受取人端末に送信する。これを受けて、受取人端末は、認証情報入力画面を表示し、この認証情報入力画面を介して受取人から第２の識別情報を受け付ける。そして、到着通知に含まれている第１の認証情報と受取人から受け付けた第２の認証情報との照合を行い、両者が一致した場合に荷物の引渡許可情報を表示する。これを受けて、受取人は、店舗に出向き、受取人端末に表示された引渡許可情報を店員に提示する。店員は、受取人端末に表示された引渡許可情報に基づいて荷物の受取人を確認し、この受取人に荷物を引き渡す。
【０００４】
特許文献１の配送支援システムによれば、受取人が所有する受取人端末を用いて受取人の確認を行うことができるので、受取確認のための専用端末を受取場所に設置する必要がない。このため、受取場所の自由度を高めて、効率的な配送を支援することができる。
【０００５】
ところで、特許文献１に記載の配送支援システムは、店舗で荷物を預かり、店員が受取人に荷物を引き渡すことを前提としている。これに対して、近年、宅配ボックスを用いた配送支援システムが提案されている。
【０００６】
宅配ボックスを用いた配送支援システムでは、配送人が、受取人により指定された宅配ボックスに出向き、共通鍵で解錠してロッカーの扉を開き、このロッカー内に受取人宛ての荷物を収容してから扉を閉じると、ネットワークを介してこの宅配ボックスに接続された配送管理サーバが、固有鍵でロッカーの扉を施錠し、受取人端末に荷物の配送完了通知を送信する。そして、受取人端末は、配送管理サーバより受信した荷物の配送完了通知を表示する。これを受けて、受取人が、宅配ボックスに出向き、固有鍵で解錠してロッカーの扉を開き、この宅配ボックスに収容された受取人宛ての荷物を取り出して扉を閉じると、配送管理サーバが、共通鍵で扉を施錠する。
【０００７】
宅配ボックスを用いた配送支援システムによれば、店舗で荷物を預かり、店員が受取人に荷物を引き渡す必要がないので、配送にかかる人件費を削減して、配送の効率化を図ることができる。
【先行技術文献】
【特許文献】
【０００８】
【特許文献１】特開２０１７−１４００５号公報
【発明の概要】
【発明が解決しようとする課題】
【０００９】
しかしながら、宅配ボックスを用いた配送支援システムには、つぎのような問題がある。すなわち、受取人により指定された宅配ボックスが有するすべてのロッカーが使用中である場合、配送人は荷物を持ち帰り、しばらくしてから同じ宅配ボックスに再配達するか、あるいは、受取人に別の宅配ボックスを指定してもらってそこに再配達しなければならず、配送効率が低下する。
【００１０】
本発明は上記事情に鑑みてなされたものであり、その目的は、再配達を防止して、配送の効率化を図ることができる宅配ボックスを用いた配送支援技術を提供することにある。
【課題を解決するための手段】
【００１１】
上記課題を解決するために、本発明では、宅配ボックスに、宅配ボックスが有する各ロッカーの使用状態を検出させ、ネットワークを介して配送管理サーバに、各ロッカーの使用状態を管理させる。また、配送管理サーバは、受取人の指定を伴う配送先指定要求を配送人端末から受信すると、この配送先指定要求で指定されている受取人について登録された地点と、宅配ボックスの設置位置と、宅配ボックスが有する各ロッカーの使用状態とに基づいて、使用状態「空」のロッカーを有し、受取人の登録地点近隣にある宅配ボックスを特定し、特定した宅配ボックスのリストを受取人の受取人端末に表示させる。そして、受取人端末から配送先の指定を受け付けたならば、この配送先の指定を含む配送先指定通知を配送人端末に送信する。
【００１２】
例えば、本発明は、
配送支援システムであって、
少なくとも一つのロッカーを有する複数の宅配ボックスと、
ネットワークを介して前記宅配ボックスに接続された配送管理サーバと、を備え、
前記宅配ボックスは、
当該宅配ボックスが有する各ロッカーの使用状態を検出する使用状態検出手段と、
前記使用状態検出手段の検出結果を含む使用状態情報を前記配送管理サーバに送信する使用状態情報送信手段と、を有し、
前記配送管理サーバは、
受取人毎に、登録地点を示す地点情報および受取人端末のアドレス情報を含む受取人情報を記憶する受取人情報記憶手段と、
前記宅配ボックス毎に、設置位置情報を含む宅配ボックス情報を記憶する宅配ボックス情報記憶手段と、
前記宅配ボックス毎に、当該宅配ボックスから受信した使用状態情報に基づいて、当該宅配ボックスが有する各ロッカーの使用状態を管理する使用状態管理手段と、
配送人端末から、受取人の指定を伴う配送先指定要求を受信する配送先指定要求受信手段と、
前記配送先指定要求受信手段が受信した配送先指定要求で指定されている受取人について前記受取人情報記憶手段に記憶されている地点情報、前記宅配ボックス情報記憶手段に記憶されている前記宅配ボックス各々の設置位置情報、および前記使用状態管理手段により管理されている前記宅配ボックス各々のロッカーの使用状態に基づいて、使用状態「空」のロッカーを有し、当該受取人の登録地点から所定範囲内に設置されている前記宅配ボックスを特定する宅配ボックス特定手段と、
前記宅配ボックス特定手段が特定した前記宅配ボックスを含む配送先候補リストを、前記配送先指定要求受信手段が受信した配送先指定要求で指定されている受取人の前記受取人情報記憶手段に記憶されているアドレス情報により特定される受取人端末に送信して、当該受取人端末から配送先の指定を受け付ける配送先指定受付手段と、
前記配送先指定受付手段が受け付けた配送先の指定を含む配送先指定通知を、前記配送先指定要求受信手段が受信した配送先指定要求の送信元である前記配送人端末に送信する配送先指定通知送信手段と、を有する。
【発明の効果】
【００１３】
本発明において、配送管理サーバは、配送人端末を介して配送人から配送先指定要求を受信した場合に、使用状態「空」のロッカーを有し、配送先指定要求で指定されている受取人の登録地点近隣にある宅配ボックスのリストを受取人端末に送信し、受取人に、このリストのなかから配送先を指定させる。そして、指定された配送先を含む配送先指定通知を配送人端末に送信する。このため、配送人が荷物を配送するタイミングで配送人端末から配送管理サーバに配送先指定要求を送信することより、この時点で使用状態「空」のロッカーを有する受取人の登録地点近隣の宅配ボックスを配送先に指定することができる。したがって、再配達の可能性が低減し、配送の効率化を図ることができる。
【図面の簡単な説明】
【００１４】
【図１】図１は、本発明の一実施の形態に係る配送支援システムの概略構成図である。
【図２】図２は、本発明の一実施の形態に係る配送支援システムの動作例を示すシーケンス図である。
【図３】図３は、本発明の一実施の形態に係る配送支援システムの動作例を示すシーケンス図（図２の続き）である。
【図４】図４は、本発明の一実施の形態に係る配送支援システムの動作例を示すシーケンス図（図３の続き）である。
【図５】図５は、本発明の一実施の形態に係る配送支援システムの動作例を示すシーケンス図（図４の続き）である。
【図６】図６は、宅配ボックス１の概略機能構成図である。
【図７】図７は、宅配ボックス１の動作を説明するためのフロー図である。
【図８】図８は、配送管理サーバ２の概略機能構成図である。
【図９】図９は、受取人情報記憶部２０１の登録内容例を模式的に表した図である。
【図１０】図１０は、宅配ボックス情報記憶部２０２の登録内容例を模式的に表した図である。
【図１１】図１１は、使用状態記憶部２０３の登録内容例を模式的に表した図である。
【図１２】図１２は、配送管理サーバ２の地点情報登録処理を説明するためのフロー図である。
【図１３】図１３は、配送管理サーバ２の配送先指定処理を説明するためのフロー図である。
【図１４】図１４は、配送管理サーバ２の配送・受取判断処理を説明するためのフロー図である。
【図１５】図１５は、配送管理サーバ２の配送完了処理を説明するためのフロー図である。
【図１６】図１６は、配送管理サーバ２の受取完了処理を説明するためのフロー図である。
【発明を実施するための形態】
【００１５】
以下、本発明の一実施の形態について、図面を参照しつつ説明する。
【００１６】
図１は、本実施の形態に係る配送支援システムの概略構成図である。
【００１７】
図示するように、本実施の形態に係る配送支援システムは、駅前、郵便局、コンビニエンスストア等に設置された複数の宅配ボックス１−１〜１−ｎ（以下、単に宅配ボックス１とも呼ぶ）と、宅配ボックス１を管理する配送管理サーバ２と、配送人の端末である配送人端末３と、受取人の端末である受取人端末４とが、ネットワーク５に接続されて構成されている。ここでは、配送人端末３および受取人端末４の例として、基地局６を介してネットワーク５に接続されるスマートホン、タブレット端末等の無線端末を示しているが、配送人端末３および受取人端末４は有線端末であってもよい。
【００１８】
宅配ボックス１は、配送人が受取人に配送する荷物を収容するためのロッカー１０を少なくとも一つ有している。宅配ボックス１は、自身が有するロッカー１０各々の使用状態（「空」または「使用中」）を監視しており、いずれかのロッカー１０の使用状態の変化を検出したならば、このロッカー１０の最新の使用状態を含む使用状態情報を配送管理サーバ２に送信する。また、宅配ボックス１は、自身が有するロッカー１０各々の扉の開閉を監視しており、いずれかのロッカー１０の扉の開閉を検出する毎に、このロッカー１０の開閉状態を示す検出通知を配送管理サーバ２に送信する。また、宅配ボックス１は、配送管理サーバ２から受信した鍵情報（共通鍵、固有鍵）を用いて、この鍵情報で指定されているロッカー１０の扉を施錠する。
【００１９】
配送管理サーバ２は、宅配ボックス１毎に、宅配ボックス１から受信した使用状態情報に基づいて、宅配ボックス１が有する各ロッカー１０の使用状態を管理する。また、配送管理サーバ２は、受取人の指定を伴う配送先指定要求を配送人端末３から受信した場合、この受取人の登録地点を示す地点情報、宅配ボックス１各々の設置位置情報、および宅配ボックス１各々のロッカー１０の使用状態に基づいて、受取人の地点情報により特定される登録地点から所定範囲内に設置されている宅配ボックス１の使用状態「空」のロッカー１０を特定する。そして、特定した宅配ボックス１のロッカー１０を含む配送先候補リストを、この受取人の受取人端末４に送信して、受取人に配送先候補リストのなかから荷物の配送先を指定させ、指定された配送先を配送人端末３に通知する。
【００２０】
図２〜図５は、本実施の形態に係る配送支援システムの動作例を示すシーケンス図である。ここで、宅配ボックス１において、使用状態「空」もしくは「空（予約済）」のロッカー１０は、配送人に共通の共通鍵で施錠されており、使用状態「使用中」のロッカー１０は、このロッカー１０に収容された荷物の受取人に固有の固有鍵で施錠されているものとする。
【００２１】
まず、受取人端末４は、受取人から、登録配送地として１箇所以上の地点の指定を伴う地点登録操作を受け付けると（Ｓ１００）、受取人のログイン情報（ユーザＩＤ、パスワード）、および、この地点登録操作で指定された地点を示す地点情報を含む地点登録要求を、配送管理サーバ２に送信する（Ｓ１０１）。ここでは、地点情報として、受取人の自宅および勤務先の住所を含む地点登録要求が配送管理サーバ２に送信されたものとする。
【００２２】
配送管理サーバ２は、受取人端末４から地点登録要求を受信すると、この地点登録要求に含まれているログイン情報を用いて認証を行う。認証に成功したならば、この地点登録要求に含まれている地点情報（自宅、勤務先）を、受取人のログイン情報に含まれているユーザＩＤに対応付けて登録する（Ｓ１０２）。
【００２３】
つぎに、配送人端末３は、受取人のユーザＩＤおよび荷物のサイズ、重量等の荷物情報の指定を伴う配送先指定操作を配送人から受け付けると（Ｓ１０３）、この配送先指定操作で指定された受取人のユーザＩＤおよび荷物情報を含む配送先指定要求を、配送管理サーバ２に送信する（Ｓ１０４）。
【００２４】
配送管理サーバ２は、配送人端末３から配送先指定要求を受信すると、この配送先指定要求に含まれているユーザＩＤに対応付けられて登録されている地点情報を特定する（Ｓ１０５）。ここでは、複数の地点情報（自宅、勤務先）が特定されたものとする。この場合、配送管理サーバ２は、配送先指定要求に含まれているユーザＩＤにより特定される受取人の受取人端末４に、複数の地点情報（自宅、勤務先）を含む地点選択指示を送信する（Ｓ１０６）。
【００２５】
これを受けて、受取人端末４は、地点選択指示に含まれている複数の地点情報のなかから配送に利用する地点情報を受取人に選択させるための地点選択画面を表示して（Ｓ１０７）、受取人から地点選択操作を受け付ける（Ｓ１０８）。ここでは、配送に利用する地点情報として自宅が選択されたものとする。つぎに、受取人端末４は、選択された地点情報（自宅）を含む選択地点情報を配送管理サーバ２に送信する（Ｓ１０９）。
【００２６】
つぎに、配送管理サーバ２は、受取人端末４から選択地点情報を受信すると、予め登録されている各宅配ボックス１の設置位置情報に基づいて、この選択地点情報に含まれている地点情報により特定される登録地点から所定範囲内に設置されている宅配ボックス１を検索する。それから、配送管理サーバ２は、宅配ボックス１各々のロッカー１０の使用状態に基づいて、検索した宅配ボックス１のなかから、使用状態「空」のロッカー１０を検索する。そして、この宅配ボックス１の使用状態「空」のロッカー１０を配送先候補宅配ボックスとして特定する（Ｓ１１０）。ここでは、自宅から所定範囲内に設置されている宅配ボックス１の使用状態「空」のロッカー１０が配送先候補宅配ボックスとして特定される。
【００２７】
つぎに、配送管理サーバ２は、配送先候補として、配送先候補宅配ボックス、選択地点情報、および配送保留を含む配送先候補リストを作成する（Ｓ１１１）。それから、配送管理サーバ２は、選択地点情報の送信元である受取人端末４に、配送先候補リストおよび配送人端末３から受信した配送先指定要求に含まれている荷物情報を含む配送先指定指示を送信する（Ｓ１１２）。
【００２８】
これを受けて、受取人端末４は、配送管理サーバ２より受信した配送先指定指示に含まれている配送先候補リストおよび荷物情報を含む配送先指定画面を表示して、受取人に、配送先候補リストのなかから配送先を指定させる（Ｓ１１３）。受取人は、配送先指定画面に表示されている荷物情報を参照して、配送先候補リストのなかから、配送先として宅配ボックス１のロッカー１０（配送先候補宅配ボックス）を指定するか、選択地点情報（ここでは自宅）を指定するか、それとも配送保留を指定するかを決定することができる。
【００２９】
つぎに、受取人端末４は、配送先指定画面を介して受取人から配送先指定操作を受け付けると（Ｓ１１４）、配送先指定操作により指定された配送先を含む配送先指定情報を配送管理サーバ２に送信する（Ｓ１１５）。ここでは、宅配ボックス１のロッカー１０（配送先候補宅配ボックス）が配送先に指定されたものとする。
【００３０】
配送管理サーバ２は、受取人端末４から配送先指定情報を受信すると、この配送先指定情報に含まれている配送先が宅配ボックス１のロッカー１０であることを確認し、このロッカー１０に受取人端末４の受取人のユーザＩＤを割り当てるとともに、このロッカー１０の使用状態を「空」から「空（予約済）」に更新する（Ｓ１１６）。それから、配送管理サーバ２は、受取人のユーザＩＤおよび配送先の指定を伴う配送先指定通知を配送人端末３に送信する（Ｓ１１７）。
【００３１】
これにより、配送人は受取人の荷物の配送先が受取人の自宅近隣に設置された宅配ボックス１のロッカー１０であることを認識する。その後、配送人は、受取人の荷物を持ってこの荷物の配送先に指定された宅配ボックス１のロッカー１０に出向き、この宅配ボックス１に、このロッカー１０のロッカー番号と、配送人に共通の共通鍵（例えばカードキーの読込み）と、を入力する。
【００３２】
ここで、配送人により入力されたロッカー番号により特定されるロッカー１０は、使用状態「空」（配送管理サーバ２で管理されている使用状態は「空（予約済）」）であり、配送人に共通の共通鍵により施錠されている。したがって、宅配ボックス１は、配送人により入力されたロッカー番号により特定されるロッカー１０を、配送人により入力された共通鍵で解錠する（Ｓ１１８）。
【００３３】
つぎに、宅配ボックス１は、解錠されたロッカー１０の扉が開いたことを検出すると（Ｓ１１９）、このロッカー１０のロッカー番号の指定を伴う扉開検出通知を送信する（Ｓ１２０）。それから、宅配ボックス１は、解錠されたロッカー１０に荷物が収容され、使用状態が「空」から「使用中」に変化したことを検出すると（Ｓ１２１）、このロッカー１０のロッカー番号と最新の使用状態「使用中」とを含む使用状態情報を配送管理サーバ２に送信する（Ｓ１２２）。
【００３４】
これを受けて、配送管理サーバ２は、使用状態情報の送信元である宅配ボックス１の、この使用状態情報に含まれているロッカー番号により特定されるロッカー１０の使用状態を「空（予約済）」から「使用中」に更新する（Ｓ１２３）。
【００３５】
つぎに、宅配ボックス１は、解錠されたロッカー１０の扉が閉じたことを検出すると（Ｓ１２４）、このロッカー１０のロッカー番号の指定を伴う扉閉検出通知を送信する（Ｓ１２５）。
【００３６】
配送管理サーバ２は、宅配ボックス１から扉閉検出通知を受信すると、この宅配ボックス１の扉閉検出通知で指定されたロッカー番号により特定されるロッカーについて、その使用状態情報と、この扉閉検出通知と、この扉閉検出通知よりも先に送られてきた扉開検出通知とにより、扉が開かれて荷物が収容された後に扉が閉じられたことを認識し、このロッカー１０に対する荷物の配送が完了したと判断する（Ｓ１２６）。それから、配送管理サーバ２は、このロッカー１０に割り当てられているユーザＩＤにより特定される受取人の受取人端末４に、この宅配ボックス１の設置位置情報およびこのロッカー１０のロッカー番号を含む配送完了通知を送信する（Ｓ１２７）。これにより、受取人は、荷物の配送完了および配送先である宅配ボックス１のロッカー１０を認識することができる。
【００３７】
また、配送管理サーバ２は、このロッカー１０に割り当てられているユーザＩＤに対応付けられて予め登録されている受取人に固有の固有鍵を特定する。そして、この固有鍵を、このロッカー１０のロッカー番号とともに、扉閉検出通知の送信元である宅配ボックス１に送信する（Ｓ１２８）。
【００３８】
これを受けて、宅配ボックス１は、配送管理サーバ２から受け取った固有鍵を用いて、この固有鍵とともに配送管理サーバ２から受け取ったロッカー番号により特定されるロッカー１０を施錠する（Ｓ１２９）。
【００３９】
その後、受取人は、配送完了通知に含まれている設置位置情報により特定される宅配ボックス１に出向き、この宅配ボックス１に、配送完了通知に含まれているロッカー番号と、受取人に固有の固有鍵（例えばカードキーの読込み）と、を入力する。ここでは、配送完了通知に含まれている設置位置情報およびロッカー番号により特定される宅配ボックス１のロッカー１０は、配送完了通知の送信先である受取人端末４の受取人に固有の固有鍵で施錠されている。したがって、宅配ボックス１は、受取人により入力されたロッカー番号により特定されるロッカー１０を、受取人により入力された固有鍵で解錠する（Ｓ１３０）。
【００４０】
つぎに、宅配ボックス１は、解錠されたロッカー１０の扉が開いたことを検出すると（Ｓ１３１）、このロッカー１０のロッカー番号の指定を伴う扉開検出通知を配送管理サーバ２に送信する（Ｓ１３２）。ここで、受取人は、ロッカー１０に収容された荷物の一部を取り出することなく扉を閉じたとする。この場合、宅配ボックス１は、このロッカー１０の使用状態の変化を検出することなく（使用状態「使用中」のまま）、解錠されたロッカー１０の扉が閉じたことを検出し（Ｓ１３３）、このロッカー１０のロッカー番号の指定を伴う扉閉検出通知を配送管理サーバ２に送信する（Ｓ１３４）。
【００４１】
配送管理サーバ２は、宅配ボックス１から扉閉検出通知を受信すると、この宅配ボックス１の扉閉検出通知で指定されたロッカー番号により特定されるロッカーについて、この扉閉検出通知と、この扉閉検出通知よりも先に送られてきた扉開検出通知とにより、扉が開かれて、荷物がすべて取り出されることなく扉が閉じられたことを認識し、荷物の取り忘れがあると判断する（Ｓ１３５）。それから、配送管理サーバ２は、扉閉検出通知の送信元である宅配ボックス１に、この扉閉検出通知で指定されているロッカー番号の指定を伴う取り忘れ通知を送信する（Ｓ１３６）。
【００４２】
宅配ボックス１は、配送管理サーバ２から取り忘れ通知を受信すると、表示パネル、スピーカ等から、取り忘れ通知で指定されているロッカー番号を伴う取り忘れ警告を出力する（Ｓ１３７）。これを受けて、受取人は、荷物を取り出したロッカー１０に荷物の取り忘れがあることを認識することができる。
【００４３】
つぎに、宅配ボックス１は、解錠されたロッカー１０の扉が開いたことを検出すると（Ｓ１３８）、このロッカー１０のロッカー番号の指定を伴う扉開検出通知を送信する（Ｓ１３９）。
【００４４】
それから、宅配ボックス１は、解錠されたロッカー１０の荷物がすべて取り出され、使用状態が「使用中」から「空」に変化したことを検出すると（Ｓ１４０）、このロッカー１０のロッカー番号と最新の使用状態「空」とを含む使用状態情報を配送管理サーバ２に送信する（Ｓ１４１）。
【００４５】
これを受けて、配送管理サーバ２は、使用状態情報の送信元である宅配ボックス１の、この使用状態情報に含まれているロッカー番号により特定されるロッカー１０に対するユーザＩＤの割り当てを解除するとともに、このロッカー１０の使用状態を「使用中」から「空」に更新する（Ｓ１４２）。
【００４６】
つぎに、宅配ボックス１は、解錠されたロッカー１０の扉が閉じたことを検出すると（Ｓ１４３）、このロッカー１０のロッカー番号の指定を伴う扉閉検出通知を送信する（Ｓ１４４）。
【００４７】
配送管理サーバ２は、宅配ボックス１から扉閉検出通知を受信すると、この宅配ボックス１の扉閉検出通知で指定されたロッカー番号により特定されるロッカーについて、その使用状態情報と、この扉閉検出通知と、この扉閉検出通知よりも先に送られてきた扉開検出通知とにより、扉が開かれて荷物がすべて取り出された後に扉が閉じられたことを認識し、荷物受取が完了したと判断する（Ｓ１４５）。それから、配送管理サーバ２は、配送人端末３に、この宅配ボックス１の設置位置情報およびロッカー１０のロッカー番号を含む受取完了通知を送信する（Ｓ１４６）。これにより、配送人は、配送先である宅配ボックス１のロッカー１０およびこのロッカ−１０における荷物の受取完了を認識することができる。
【００４８】
それから、配送管理サーバ２は、配送人に共通の共通鍵を、このロッカー１０のロッカー番号とともに、扉閉検出通知の送信元である宅配ボックス１に送信する（Ｓ１４７）。これを受けて、宅配ボックス１は、配送管理サーバ２から受け取った共通鍵を用いて、この共通鍵とともに配送管理サーバ２から受け取ったロッカー番号により特定されるロッカー１０を施錠する（Ｓ１４８）。
【００４９】
つぎに、本実施の形態に係る配送支援システムを構成する宅配ボックス１および配送管理サーバ２を説明する。なお、配送人端末３および受取人端末４には既存のネットワーク端末を利用することができるので、これらの詳細な説明を省略する。
【００５０】
まず、宅配ボックス１の詳細を説明する。
【００５１】
図６は、宅配ボックス１の概略機能構成図である。
【００５２】
図示するように、宅配ボックス１は、受取人の荷物を収容するためのロッカー１０と、ネットワークインターフェース部１１と、マンマシンインターフェース部１２と、ロッカー１０毎に設けられた重量センサ１３、開閉センサ１４および施錠・解錠部１５と、使用状態判断部１６と、主制御部１７と、を備えている。なお、ここでは、宅配ボックス１が５台のロッカー１０を有する場合を例示しているが、ロッカー１０は少なくとも１台あればよい。
【００５３】
ネットワークインターフェース部１１は、ネットワーク５に接続するためのインターフェースである。
【００５４】
マンマシンインターフェース部１２は、操作者から各種操作を受け付けたり、操作者に各種情報を表示したりするためのインターフェースであり、表示パネル、タッチパネル、スピーカ、カードリーダー等を備えて構成される。
【００５５】
重量センサ１３は、対応するロッカー１０に荷物が収容されているか否かを検出する。
【００５６】
開閉センサ１４は、対応するロッカー１０の扉の開閉を検出する。
【００５７】
施錠・解錠部１５は、主制御部１７より渡された鍵情報を用いて対応するロッカー１０の扉を施錠する。また、施錠・解錠部１５は、主制御部１７の指示によりロッカー１０の扉を解錠する。
【００５８】
使用状態判断部１６は、ロッカー１０毎に、ロッカー１０に対応付けられている重量センサ１３の検出値に基づいて、ロッカー１０の使用状態を判断する。具体的には、重量センサ１３の検出値が、ロッカー１０に荷物が収容されていないことを示す所定値以下である場合、このロッカー１０の使用状態を「空」と判断し、それ以外の場合、このロッカー１０の使用状態を「使用中」と判断する。
【００５９】
主制御部１７は、ネットワークインターフェース部１１、マンマシンインターフェース部１２、重量センサ１３、開閉センサ１４、施錠・解錠部１５、および使用状態判断部１６を統括的に制御する。
【００６０】
なお、図６に示す宅配ボックス１の機能構成のうち、ネットワークインターフェース部１１、マンマシンインターフェース部１２、使用状態判断部１６、および主制御部１７は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【００６１】
図７は、宅配ボックス１の動作を説明するためのフロー図である。
【００６２】
主制御部１７は、使用状態判断部１６によって判断された各ロッカー１０の使用状態を監視しており、いずれかのロッカー１０の使用状態が変化すると（Ｓ２００でＹＥＳ）、この使用状態が変化したロッカー１０のロッカー番号と、変化後の使用状態と、自身の宅配ボックス１に割り当てられたボックスＩＤと、を含む使用状態情報を、ネットワークインターフェース部１１を介して配送管理サーバ２に送信する。（Ｓ２０１）。
【００６３】
また、主制御部１７は、開閉センサ１４のセンサ値を監視しており、いずれかのロッカー１０の扉の開閉を検出すると（Ｓ２０２でＹＥＳ）、このロッカー１０のロッカー番号と、検出した開閉状態と、を含む扉開閉検出通知（扉が開いた場合は扉開検出通知、扉が閉じた場合は扉閉検出通知）を、ネットワークインターフェース部１１を介して配送管理サーバ２に送信する。（Ｓ２０３）。
【００６４】
また、主制御部１７は、ネットワークインターフェース部１１を介して配送管理サーバ２から鍵情報をロッカー番号とともに受信すると（Ｓ２０４でＹＥＳ）、このロッカー番号が割り当てられたロッカー１０に対応付けられている開閉センサ１４のセンサ値に基づいて扉が閉じていることを確認し、このロッカー１０に対応付けられている施錠・解錠部１５に、配送管理サーバ２から受信した鍵情報を渡す。扉が開いている場合には、扉が閉じるのを待って鍵情報を渡す。これを受けて、施錠・解錠部１５は、主制御部１７から受け取った鍵情報を用いて、対応するロッカー１０の扉を施錠する（Ｓ２０５）。
【００６５】
また、主制御部１７は、マンマシンインターフェース部１２を介して操作者から、ロッカー番号および鍵情報の入力（鍵情報は、例えばカードリーダーによるカードキーからの読み込み）を受け付けると（Ｓ２０６でＹＥＳ）、このロッカー番号が割り当てられたロッカー１０に対応付けられている施錠・解錠部１５に、操作者より受け付けた鍵情報を渡す。これを受けて、施錠・解錠部１５は、主制御部１７より受け取った鍵情報が、施錠に用いた鍵情報と一致するか否かを判断する（Ｓ２０７）。両者が一致しない場合は、その旨を主制御部１７に通知する。これを受けて、主制御部１７は、マンマシンインターフェース部１２を介して操作者に、鍵情報が一致しない旨のエラーメッセージを送信する等の所定のエラー処理を行う（Ｓ２０８）。一方、両者が一致する場合、施錠・解錠部１５は、対応するロッカー１０の扉を解錠する（Ｓ２０９）。
【００６６】
また、主制御部１７は、ネットワークインターフェース部１１を介して配送管理サーバ２から取り忘れ通知を受信すると（Ｓ２１０でＹＥＳ）、マンマシンインターフェース部１２を介して操作者に、スピーカから警告音を出力して表示パネルに取り忘れがある旨を表示する等の取り忘れ警告を出力する（Ｓ２１１）。
【００６７】
つぎに、配送管理サーバ２の詳細を説明する。
【００６８】
図８は、配送管理サーバ２の概略機能構成図である。
【００６９】
図示するように、配送管理サーバ２は、ネットワークインターフェース部２００と、受取人情報記憶部２０１と、宅配ボックス情報記憶部２０２と、使用状態記憶部２０３と、地点登録要求処理部２０４と、使用状態管理部２０５と、配送先指定要求処理部２０６と、配送先指定受付部２０７と、扉開閉検出通知受信部２０８と、鍵情報・取り忘れ通知送信部２０９と、配送・受取完了通知部２１０と、宅配ボックス特定部２１１と、主制御部２１２と、を備えている。
【００７０】
ネットワークインターフェース部２００は、ネットワーク５に接続するためのインターフェースである。
【００７１】
受取人情報記憶部２０１には、受取人毎に、受取人の地点情報、受取人端末４のアドレス情報を含む受取人情報が記憶されている。
【００７２】
図９は、受取人情報記憶部２０１の登録内容例を模式的に表した図である。
【００７３】
図示するように、受取人情報記憶部２０１には、受取人毎に受取人情報のレコード２０１０が登録されている。受取人情報のレコード２０１０は、受取人のユーザＩＤを登録するフィールド２０１１と、受取人のパスワードを登録するフィールド２０１２と、受取人端末４のネットワーク５上のアドレス情報を登録するフィールド２０１３と、受取人に付与された固有鍵を登録するフィールド２０１４と、受取人の登録地点の地点情報を登録するフィールド２０１５と、を有する。フィールド２０１５は、登録地点毎に、地点情報を登録するサブフィールド２０１６を有しており、受取人は複数の登録地点の地点情報を登録可能である。
【００７４】
宅配ボックス情報記憶部２０２には、宅配ボックス１毎に宅配ボックスの設置位置情報を含む宅配ボックス情報が記憶されている。
【００７５】
図１０は、宅配ボックス情報記憶部２０２の登録内容例を模式的に表した図である。
【００７６】
図示するように、宅配ボックス情報記憶部２０２には、宅配ボックス１毎に宅配ボックス情報のレコード２０２０が登録されている。宅配ボックス情報のレコード２０２０は、宅配ボックス１のボックスＩＤを登録するフィールド２０２１と、宅配ボックス１の設置位置情報を登録するフィールド２０２２と、宅配ボックス１のネットワーク５上のアドレス情報を登録するフィールド２０２３と、宅配ボックス１が有するロッカー１０のロッカー番号を含むロッカー情報を登録するフィールド２０２４と、を有する。
【００７７】
使用状態記憶部２０３には、宅配ボックス１毎に宅配ボックス１が有する各ロッカー１０の使用状態に関する情報が記憶される。
【００７８】
図１１は、使用状態記憶部２０３の登録内容例を模式的に表した図である。
【００７９】
図示するように、使用状態記憶部２０３には、宅配ボックス１毎に、テーブル２０３０が宅配ボックス１のボックスＩＤに対応付けられて登録されている。テーブル２０３０には、宅配ボックス１が有するロッカー１０毎に使用状態のレコード２０３１を有する。使用状態のレコード２０３１は、ロッカー１０のロッカー番号を登録するフィールド２０３２と、ロッカー１０の使用状態（「空」、「空（予約済）」、「使用中」のいずれか）を登録するフィールド２０３３と、ロッカー１０の使用状態が「空（予約済）」あるいは「使用中」である場合に、このロッカー１０に割り当てられた受取人のユーザＩＤを登録するフィールド２０３４と、を有する。
【００８０】
地点登録要求処理部２０４は、ネットワークインターフェース部２００を介して受取人端末４から地点登録要求を受信する。
【００８１】
使用状態管理部２０５は、ネットワークインターフェース部２００を介して宅配ボックス１から受信した使用状態情報および主制御部２１２の指示に従い、使用状態記憶部２０３の登録内容を更新する。
【００８２】
配送先指定要求処理部２０６は、ネットワークインターフェース部２００を介して配送人端末３から配送先指定要求を受信する。また、配送先指定要求処理部２０６は、配送先指定通知を配送人端末３に送信する。
【００８３】
配送先指定受付部２０７は、ネットワークインターフェース部２００を介して受取人端末４に配送先指定指示を送信して、受取人端末４から配送先の指定を受け付ける。また、配送先指定受付部２０７は、ネットワークインターフェース部２００を介して受取人端末４に地点選択指示を送信して、受取人端末４から地点情報の選択を受け付ける。
【００８４】
扉開閉検出通知受信部２０８は、ネットワークインターフェース部２００を介して宅配ボックス１から扉開検出通知および扉閉検出通知を受信する。
【００８５】
鍵情報・取り忘れ通知送信部２０９は、ネットワークインターフェース部２００を介して宅配ボックス１に、ロッカー番号の指定を伴う鍵情報およびロッカー番号の指定を伴う取り忘れ通知を送信する。
【００８６】
配送・受取完了通知部２１０は、ネットワークインターフェース部２００を介して配送人端末３に配送完了通知を送信する。また、配送・受取完了通知部２１０は、ネットワークインターフェース部２００を介して受取人端末４に受取完了通知を送信する。
【００８７】
宅配ボックス特定部２１１は、受取人情報記憶部２０１、宅配ボックス情報記憶部２０２、および使用状態記憶部２０３を用いて、主制御部２１２より通知された受取人の登録地点に対する配送先候補宅配ボックスを特定する。
【００８８】
主制御部２１２は、配送管理サーバ２の各部２００〜２１１を統括的に制御する。
【００８９】
なお、図８に示す配送管理サーバ２の機能構成は、ＡＳＩＣ、ＦＰＧＡなどの集積ロジックＩＣによりハード的に実現されるものでもよいし、あるいはＤＳＰなどの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ等の通信インターフェースを備えたＰＣ等の汎用コンピュータにおいて、ＣＰＵが所定のプログラムを補助記憶装置からメモリ上にロードして実行することにより実現されるものでもよい。
【００９０】
図１２は、配送管理サーバ２の地点情報登録処理を説明するためのフロー図である。
【００９１】
このフローは、地点登録要求処理部２０４が、ネットワークインターフェース部２００を介して受取人端末４から地点登録要求を受信することにより開始される。
【００９２】
まず、地点登録要求処理部２０４は、受取人端末４から受信した地点登録要求を主制御部２１２に渡す。これを受けて、主制御部２１２は、地点登録要求に含まれているユーザＩＤがフィールド２０１１に登録されているレコード２０１０を受取人情報記憶部２０１から検索する。そして、検索したレコード２０１０のフィールド２０１２に登録されているパスワードと、地点登録要求に含まれているパスワードとを比較して、ログイン認証を実施する（Ｓ３００）。
【００９３】
そして、検索したレコード２０１０のフィールド２０１２に登録されているパスワードと地点登録要求に含まれているパスワードとが一致し、ログイン認証に成功したならば（Ｓ３０１でＹＥＳ）、このレコード２０１０のフィールド２０１５に、地点登録要求に含まれている地点情報毎にサブフィールド２０１６を追加して、地点登録要求に含まれている地点情報を、この追加したサブフィールド２０１６に登録する（Ｓ３０２）。
【００９４】
一方、検索したレコード２０１０のフィールド２０１２に登録されているパスワードと地点登録要求に含まれているパスワードとが一致せず、ログイン認証に失敗したならば（Ｓ３０１でＮＯ）、その旨を示すエラーメッセージの送信を地点登録要求処理部２０４に指示する。これを受けて、地点登録要求処理部２０４は、ネットワークインターフェース部２００を介して地点登録要求の送信元である受取人端末４に、エラーメッセージを送信する（Ｓ３０３）。
【００９５】
図１３は、配送管理サーバ２の配送先指定処理を説明するためのフロー図である。
【００９６】
このフローは、配送先指定要求処理部２０６が、ネットワークインターフェース部２００を介して配送人端末３から配送先指定要求を受信することにより開始される。
【００９７】
まず、配送先指定要求処理部２０６は、配送人端末３から受信した配送先指定要求を主制御部２１２に渡す。そして、主制御部２１２は、配送先指定要求に含まれているユーザＩＤを宅配ボックス特定部２１１に通知して配送先候補宅配ボックスの特定を指示する。
【００９８】
これを受けて、宅配ボックス特定部２１１は、受取人情報記憶部２０１を参照し、主制御部２１２から通知されたユーザＩＤがフィールド２０１１に登録されている受取人情報のレコード２０１０を特定する（Ｓ３１０）。それから、宅配ボックス特定部２１１は、このレコード２０１０のフィールド２０１５に登録されている地点情報のサブフィールド２０１６を特定する（Ｓ３１１）。
【００９９】
つぎに、宅配ボックス特定部２１１は、特定した地点情報のサブフィールド２０１６が複数あるか否かを判断する（Ｓ３１２）。複数ある場合は（Ｓ３１２でＹＥＳ）、Ｓ３１１で特定した複数のサブフィールド２０１６に登録されている地点情報を、Ｓ３１０で特定した受取人情報のレコード２０１０のフィールド２０１３に登録されているアドレス情報とともに、主制御部２１２に渡してＳ３１３に進み、一つのみの場合は（Ｓ３１２でＮＯ）、このサブフィールド２０１６の地点情報を選択してＳ３１５に進む。
【０１００】
Ｓ３１３において、主制御部２１２は、宅配ボックス特定部２１１から受け取った複数の地点情報およびアドレス情報を配送先指定要求処理部２０６に通知して、地点情報の選択を指示する。これを受けて、配送先指定要求処理部２０６は、これら複数の地点情報のなかから地点情報を一つ選択させるための地点選択指示を作成して、主制御部２１２より受け取ったアドレス情報により特定される受取人端末４に、この地点選択指示を、ネットワークインターフェース部２００を介して送信する。
【０１０１】
つぎに、配送先指定要求処理部２０６は、ネットワークインターフェース部２００を介して、地点選択指示の送信先である受取人端末４から地点選択情報を受信すると（Ｓ３１４）、この地点選択情報を主制御部２１２に渡す。主制御部２１２は、受取人端末４から受け取った地点選択情報に含まれている地点情報を宅配ボックス特定部２１１に渡す。これを受けて、宅配ボックス特定部２１１は、主制御部２１２から受け取った地点情報を選択してＳ３１５に進む。
【０１０２】
Ｓ３１５において、宅配ボックス特定部２１１は、宅配ボックス情報記憶部２０２に登録されている宅配ボックス情報のレコード２０２０各々のフィールド２０２２に登録されている設置位置情報を参照して、選択された地点情報により特定される登録地点から所定範囲内に設置されている宅配ボックス情報のレコード２０２０を検索する。それから、使用状態記憶部２０３において、検索したレコード２０２０のフィールド２０２１に登録されているボックスＩＤに対応付けられているテーブル２０３０を参照し、このテーブル２０３０からフィールド２０３３に登録されている使用状態が「空」（ただし「空（予約済）」を除く）であるレコード２０３１をさらに検索する。これにより、選択された地点情報により特定される登録地点から所定範囲内に設置されている宅配ボックス１の使用状態「空」のロッカー１０を、配送先候補宅配ボックスとして特定する。
【０１０３】
つぎに、宅配ボックス特定部２１１は、検索した使用状態のレコード２０３１毎に、このレコード２０３１のフィールド２０３２に登録されているロッカー番号、このレコード２０３１を有するテーブル２０３０に対応付けられている宅配ボックスＩＤ、およびこの宅配ボックスＩＤがフィールド２０２１に登録されている宅配ボックス情報のレコード２０２０のフィールド２０２２に登録されている設置位置情報を含む配送先候補宅配ボックス情報を作成する。そして、配送先候補として、これらの配送先候補宅配ボックス情報と、選択された地点情報と、配送保留と、を含む配送先候補リストを作成する（Ｓ３１６）。
【０１０４】
それから、宅配ボックス特定部２１１は、作成した配送先候補リストを、Ｓ３１０で特定した受取人情報のレコード２０１０のフィールド２０１３に登録されているアドレス情報とともに、主制御部２１２に渡す。主制御部２１２は、宅配ボックス特定部２１１から受け取った配送先候補リストおよびアドレス情報と、配送先指定要求に含まれている荷物情報とを、配送先指定受付部２０７に通知して、配送先の指定を指示する。これを受けて、配送先指定受付部２０７は、荷物情報を含み、配送先候補リストのなかから配送先を一つ指定させるための配送先指定指示を作成して、主制御部２１２より受け取ったアドレス情報により特定される受取人端末４に、この配送先指定指示を、ネットワークインターフェース部２００を介して送信する（Ｓ３１７）。
【０１０５】
つぎに、配送先指定受付部２０７は、ネットワークインターフェース部２００を介して、配送先指定指示の送信先である受取人端末４から配送先指定情報を受信すると（Ｓ３１８）、この配送先指定情報を主制御部２１２に渡す。これを受けて、主制御部２１２は、受取人端末４から受け取った配送先指定情報で指定されている配送先が配送先候補宅配ボックス情報、つまり宅配ボックス１の使用状態「空」のロッカー１０であるか否かを判断する（Ｓ３１９）。指定されている配送先が配送先候補宅配ボックス情報でない場合（Ｓ３１９でＮＯ）、つまり指定されている配送先が受取人の地点情報あるいは配送保留である場合、Ｓ３２３に進む。
【０１０６】
一方、受取人端末４から受け取った配送先指定情報で指定されている配送先が配送先候補宅配ボックス情報である場合（Ｓ３１９でＹＥＳ）、主制御部２１２は、この配送先候補宅配ボックス情報および配送先指定情報で指定されている受取人のユーザＩＤを使用状態管理部２０５に通知する。これを受けて、使用状態管理部２０５は、使用状態記憶部２０３からこの配送先候補宅配ボックス情報に含まれている宅配ボックスＩＤに対応付けられているテーブル２０３０を特定し、さらにこのテーブル２０３０からフィールド２０３２にこの配送先候補宅配ボックス情報に含まれているロッカー番号が登録されているレコード２０３１を特定する。そして、このレコード２０３１のフィールド２０３３に登録されている使用状態が「空」であるか否かを判断する（Ｓ３２０）。使用状態が「空」でない場合（Ｓ３２０でＮＯ）、Ｓ３１６に戻る。一方、使用状態が「空」である場合（Ｓ３２０でＹＥＳ）、使用状態管理部２０５は、このレコード２０３１のフィールド２０３３に登録されている使用状態を「空」から「空（予約済）」に更新する（Ｓ３２１）。また、このレコード２０３１のフィールド２０３４に、受取人のユーザＩＤを登録する（Ｓ３２２）。それから、Ｓ３２３に進む。
【０１０７】
Ｓ３２３において、主制御部２１２は、配送先指定情報で指定されている配送先および受取人のユーザＩＤを配送先指定要求処理部２０６に通知して、配送先指定通知を指示する。これを受けて、配送先指定要求処理部２０６は、配送先および受取人のユーザＩＤを含む配送先指定通知を作成して、ネットワークインターフェース部２００を介して配送人端末３にこの配送先指定通知を送信する。
【０１０８】
図１４は、配送管理サーバ２の配送・受取判断処理を説明するためのフロー図である。
【０１０９】
このフローは、扉開閉検出通知受信部２０８がネットワークインターフェース部２００を介して宅配ボックス１から扉開検出通知を受信することにより開始される。
【０１１０】
まず、扉開閉検出通知受信部２０８は、宅配ボックス１から受信した扉開検出通知を主制御部２１２に渡す。これを受けて、主制御部２１２は、使用状態記憶部２０３からこの扉開検出通知に含まれている宅配ボックスＩＤに対応付けられているテーブル２０３０を特定し、さらにこのテーブル２０３０からフィールド２０３２にこの扉開検出通知に含まれているロッカー番号が登録されているレコード２０３１を特定する（Ｓ３３０）。
【０１１１】
つぎに、主制御部２１２は、特定したレコード２０３１のフィールド２０３３に登録されている使用状態を確認する（Ｓ３３１）。そして、使用状態が「空（予約済）」ならば（Ｓ３３１で「空（予約済）」）、後述の配送完了処理を実施し（Ｓ３３２）、「使用中」ならば（Ｓ３３１で「使用中」）、後述の受取完了処理を実施する（Ｓ３３３）。
【０１１２】
また、使用状態が「空」の場合（Ｓ３３１で「空」）、主制御部２１２は、配送人に荷物の配送に先立って予約すべき旨を要求するエラーメッセージを、配送・受取完了通知部２１０からネットワークインターフェース部２００を介して配送人端末３に送信する、あるいは、ネットワークインターフェース部２００を介して扉開検出通知の送信元である宅配ボックス１に送信して、宅配ボックス１のマンマシンインターフェース部１２から出力させるなどの所定のエラー処理を実施する（Ｓ３３４）。
【０１１３】
図１５は、配送管理サーバ２の配送完了処理を説明するためのフロー図である。
【０１１４】
まず、主制御部２１２は、図１４のＳ３３０で特定した使用状態のレコード２０３１のフィールド２０３３に登録されている使用状態の監視を開始する（Ｓ３４０）。
【０１１５】
ここで、使用状態管理部２０５は、ネットワークインターフェース部２００を介して宅配ボックス１から使用状態情報を受信すると（Ｓ３４１でＹＥＳ）、使用状態記憶部２０３から、この使用状態情報に含まれている宅配ボックスＩＤに対応付けられているテーブル２０３０を特定し、さらにこのテーブル２０３０から、この使用状態情報に含まれているロッカー番号がフィールド２０３２に登録されているレコード２０３１を特定する。そして、特定したレコード２０３１のフィールド２０３３を、この使用状態情報に含まれている使用状態に更新する（Ｓ３４２）。
【０１１６】
また、扉開閉検出通知受信部２０８は、ネットワークインターフェース部２００を介して宅配ボックス１から扉閉検出通知を受信すると（Ｓ３４３でＹＥＳ）、受信した扉閉検出通知を主制御部２１２に渡す。これを受けて、主制御部２１２は、扉閉検出通知に含まれている宅配ボックスＩＤおよびロッカー番号と、この扉閉検出通知に先立って受信した扉開検出通知に含まれている宅配ボックスＩＤおよびロッカー番号と、が一致することを確認する。それから、主制御部２１２は、図１４のＳ３３０で特定した使用状態のレコード２０３１のフィールド２０３３に登録されている使用状態が「使用中」であるか否かを判断する（Ｓ３４４）。
【０１１７】
ここで、使用状態が「使用中」ならば（Ｓ３４４でＹＥＳ）、扉閉検出通知に含まれている宅配ボックスＩＤおよびロッカー番号により特定される宅配ボックス１のロッカー１０に対する配送人による荷物の配送が完了したと判断する。そして、主制御部２１２は、宅配ボックス情報記憶部２０２を参照して、この宅配ボックスＩＤがフィールド２０２１に登録されている宅配ボックス情報のレコード２０２０を特定するとともに、受取人情報記憶部２０１を参照して、図１４のＳ３３０で特定した使用状態のレコード２０３１のフィールド２０３４に登録されているユーザＩＤがフィールド２０１１に登録されている受取人情報のレコード２０１０を特定する。そして、この宅配ボックスＩＤおよびロッカー番号と、特定した宅配ボックス情報のレコード２０２０のフィールド２０２２に登録されている設置位置情報と、特定した受取人情報のレコード２０１０のフィールド２０１３に登録されているアドレス情報とを、配送・受取完了通知部２１０に渡して、配送完了通知の送信を指示する。
【０１１８】
これを受けて、配送・受取完了通知部２１０は、ネットワークインターフェース部２００を介して、主制御部２１２より受信したアドレス情報により特定される受取人端末４に、主制御部２１２より受信した宅配ボックスＩＤ、ロッカー番号、および設置位置情報を含む配送完了通知を送信する（Ｓ３４５）。
【０１１９】
それから、主制御部２１２は、扉閉検出通知に含まれているロッカー番号と、特定した宅配ボックス情報のレコード２０２０のフィールド２０２３に登録されているアドレス情報と、特定した受取人情報のレコード２０１０のフィールド２０１４に登録されている固有鍵とを、鍵情報・取り忘れ通知送信部２０９に渡して、鍵情報の送信を指示する。
【０１２０】
これを受けて、鍵情報・取り忘れ通知送信部２０９は、ネットワークインターフェース部２００を介して、主制御部２１２より受信したアドレス情報により特定される宅配ボックス１に、主制御部２１２より受信したロッカー番号および固有鍵を送信する（Ｓ３４６）。
【０１２１】
一方、Ｓ３４４において、使用状態が「使用中」でない、つまり「空（予約済）」のままならば（Ｓ３４４でＮＯ）、扉閉検出通知に含まれている宅配ボックスＩＤおよびロッカー番号により特定される宅配ボックス１のロッカー１０に対する配送人による荷物の配送が完了していないと判断する。そして、主制御部２１２は、この宅配ボックスＩＤがフィールド２０２１に登録されている宅配ボックス情報のレコード２０２０を特定して、特定した宅配ボックス情報のレコード２０２０のフィールド２０２３に登録されているアドレス情報と、扉閉検出通知に含まれているロッカー番号と、配送人に共通の共通鍵とを、鍵情報・取り忘れ通知送信知部２０９に渡して、鍵情報の送信を指示する。
【０１２２】
これを受けて、鍵情報・取り忘れ通知送信部２０９は、ネットワークインターフェース部２００を介して、主制御部２１２より受信したアドレス情報により特定される宅配ボックス１に、主制御部２１２より受信したロッカー番号および共通鍵を送信する（Ｓ３４７）。
【０１２３】
図１６は、配送管理サーバ２の受取完了処理を説明するためのフロー図である。
【０１２４】
まず、主制御部２１２は、図１４のＳ３３０で特定した使用状態のレコード２０３１のフィールド２０３３に登録されている使用状態の監視を開始する（Ｓ３５０）。
【０１２５】
ここで、使用状態管理部２０５は、ネットワークインターフェース部２００を介して宅配ボックス１から使用状態情報を受信すると（Ｓ３５１でＹＥＳ）、使用状態記憶部２０３から、この使用状態情報に含まれている宅配ボックスＩＤに対応付けられているテーブル２０３０を特定し、さらにこのテーブル２０３０から、この使用状態情報に含まれているロッカー番号がフィールド２０３２に登録されているレコード２０３１を特定する。そして、特定したレコード２０３１のフィールド２０３３を、この使用状態情報に含まれている使用状態に更新する（Ｓ３５２）。
【０１２６】
また、扉開閉検出通知受信部２０８は、ネットワークインターフェース部２００を介して宅配ボックス１から扉閉検出通知を受信すると（Ｓ３５３でＹＥＳ）、受信した扉閉検出通知を主制御部２１２に渡す。これを受けて、主制御部２１２は、扉閉検出通知に含まれている宅配ボックスＩＤおよびロッカー番号と、この扉閉検出通知に先立って受信した扉開検出通知に含まれている宅配ボックスＩＤおよびロッカー番号とが、一致することを確認する。それから、主制御部２１２は、図１４のＳ３３０で特定した使用状態のレコード２０３１のフィールド２０３３に登録されている使用状態が「空」であるか否かを判断する（Ｓ３５４）。
【０１２７】
ここで、使用状態が「空」ならば（Ｓ３５４でＹＥＳ）、扉閉検出通知に含まれている宅配ボックスＩＤおよびロッカー番号により特定される宅配ボックス１のロッカー１０に対する受取人による荷物の受取が完了したと判断する。そして、主制御部２１２は、図１４のＳ３３０で特定した使用状態のレコード２０３１のフィールド２０３４に登録されているユーザＩＤを削除して、このロッカー１０に対する受取人の割り当てを解除する（Ｓ３５５）。それから、主制御部２１２は、この削除したユーザＩＤと、扉閉検出通知に含まれている宅配ボックスＩＤおよびロッカー番号とを、配送・受取完了通知部２１０に渡して、受取完了通知の送信を指示する。
【０１２８】
これを受けて、配送・受取完了通知部２１０は、ネットワークインターフェース部２００を介して配送人端末３に、主制御部２１２より受信したユーザＩＤ、宅配ボックスＩＤおよびロッカー番号を含む受取完了通知を送信する（Ｓ３５６）。
【０１２９】
それから、主制御部２１２は、宅配ボックス情報記憶部２０２を参照して、扉閉検出通知に含まれている宅配ボックスＩＤがフィールド２０２１に登録されている宅配ボックス情報のレコード２０２０を特定する。そして、扉閉検出通知に含まれているロッカー番号と、特定した宅配ボックス情報のレコード２０２０のフィールド２０２３に登録されているアドレス情報と、配送人に共通の共通鍵とを、鍵情報送信部２０９に渡して、鍵情報の送信を指示する。
【０１３０】
これを受けて、鍵情報・取り忘れ通知送信部２０９は、ネットワークインターフェース部２００を介して、主制御部２１２より受信したアドレス情報により特定される宅配ボックス１に、主制御部２１２より受信したロッカー番号および共通鍵を送信する（Ｓ３５７）。
【０１３１】
一方、Ｓ３５４において、使用状態が「空」でない、つまり「使用中」のままならば（Ｓ３５４でＮＯ）、扉閉検出通知に含まれている宅配ボックスＩＤおよびロッカー番号により特定される宅配ボックス１のロッカー１０に対する受取人による荷物の受取に取り忘れがあり、荷物の受取が完了していないと判断する。そして、主制御部２１２は、宅配ボックス情報記憶部２０２を参照して、扉閉検出通知に含まれている宅配ボックスＩＤがフィールド２０２１に登録されている宅配ボックス情報のレコード２０２０を特定する。そして、扉閉検出通知に含まれているロッカー番号と、特定した宅配ボックス情報のレコード２０２０のフィールド２０２３に登録されているアドレス情報とを、鍵情報・取り忘れ通知送信部２０９に渡して、取り忘れ通知を指示する。
【０１３２】
これを受けて、鍵情報・取り忘れ通知送信部２０９は、ネットワークインターフェース部２００を介して、主制御部２１２より受信したアドレス情報により特定される宅配ボックス１に、主制御部２１２より受信したロッカー番号により特定されるロッカーに取り忘れがある旨の取り忘れ通知を送信する（Ｓ３５８）。
【０１３３】
その後、扉開閉検出通知受信部２０８がネットワークインターフェース部２００を介して宅配ボックス１から扉開検出通知を受信したならば（Ｓ３５９でＹＥＳ）、Ｓ３５１に戻る。
【０１３４】
以上、本発明の一実施の形態を説明した。
【０１３５】
本実施の形態において、配送管理サーバ２は、配送人端末３を介して配送人から配送先指定要求を受信した場合に、配送先指定要求で指定されている受取人の登録地点近隣にある宅配ボックス１の使用状態「空」のロッカー１０を含む配送先候補リストを受取人端末４に送信し、受取人に、この配送先候補リストのなかから配送先を指定させる。そして、指定された配送先を含む配送先指定通知を配送人端末３に送信する。このため、配送人が荷物を配送するタイミングで配送人端末３から配送管理サーバ２に配送先指定要求を送信することより、この時点で受取人の登録地点近隣にある宅配ボックス１の使用状態「空」のロッカー１０を配送先に指定することができる。したがって、再配達の可能性が低減し、配送の効率化を図ることができる。
【０１３６】
また、本実施の形態において、配送管理サーバ２は、受取人により配送先に指定された宅配ボックス１のロッカー１０の使用状態を「空」から「空（予約済）」に変更して、このロッカー１０が他の配送先候補リストに掲載されるのを防止している。このため、複数の受取人が同じロッカー１０を重複して配送先に指定するのを防止して、配送の更なる効率化を図ることができる。
【０１３７】
また、本実施の形態において、配送管理サーバ２は、受取人について地点情報が複数登録されている場合、これらの地点情報を含む地点選択指示を受取人端末４に送信して、受取人から地点情報の選択を受け付け、選択された地点情報を用いて、配送先候補リストに含める宅配ボックス１の使用状態「空」のロッカー１０を特定する。このため、受取人は、複数の地点情報を配送管理サーバ２に登録しておくことで、指定可能な荷物の配送先の範囲が広がり、受取人の使い勝手が向上する。
【０１３８】
また、本実施の形態において、配送管理サーバ２は、配送人端末３を介して配送人から荷物のサイズ、重量を含む荷物情報を伴う配送先指定要求を受信した場合に、この荷物情報を配送先候補リストをとともに受取人端末４に送信する。したがって、受取人は、配送管理サーバ２から送られてきた荷物情報を参照して、配送先候補リストのなかから配送先を選ぶことができ、受取人の使い勝手が向上する。
【０１３９】
また、本実施の形態において、配送管理サーバ２は、宅配ボックス１から送られてくる使用状態情報に基づいて、宅配ボックス１のロッカー１０の使用状態を管理しており、ロッカー１０の使用状態が「空（予約済）」から「使用中」に変化した場合に、このロッカー１０に対する配送人によるに荷物の配送が完了したと判断し、このロッカー１０を予約した受取人の受取人端末４に配送完了通知を送信する。したがって、受取人は、荷物の配送完了を知ることができ、受取人の使い勝手が向上する。
【０１４０】
また、本実施の形態において、宅配ボックス１は、ロッカー１０の扉の開閉を検出して、扉開閉検出通知を配送管理サーバ２に送信する。また、配送管理サーバ２は、宅配ボックス１より受信した扉開閉検出通知により扉の開閉が検出されたにもかかわらず、使用状態が「使用中」のままのロッカー１０がある場合、このロッカー１０に対する受取人による荷物の取り忘れがあると判断する。そして、この宅配ボックス１に対して、このロッカー１０に収容されている荷物の取り忘れを通知する。したがって、受取人は、荷物の取り忘れに気付くことができ、受取人の使い勝手が向上する。
【０１４１】
なお、本発明は上記の実施の形態に限定されるものではなく、その要旨の範囲内で数々の変形が可能である。
【０１４２】
例えば、上記の実施の形態において、配送管理サーバ２は、配送先候補宅配ボックス情報に宅配ボックスＩＤおよびロッカー番号を含め、受取人に、荷物の配送先として宅配ボックス１を指定させる場合には、ロッカー１０のロッカー番号まで指定させている。しかし、本発明はこれに限定されず、受取人にロッカー番号を指定させなくてもよい。この場合、配送管理サーバ２が、受取人が指定した配送ボックス１のなかから使用状態「空」のロッカー１０を任意に選択し、このロッカー１０の使用状態を「空」から「空（予約済）」に変更するとともに、ロッカー１０に受取人を割り当てる。なお、配送先候補宅配ボックス情報には、ロッカー番号を含めなくてもよい。
【０１４３】
また、上記の実施の形態において、配送管理サーバ２は、取り忘れ通知を宅配ボックス１に送信している。しかし、本発明はこれに限定されない。取り忘れ通知の対象ロッカー１０に割り当てられた受取人の受取人端末４に、取り忘れ通知を送信してもよい。
【０１４４】
また、上記の実施の形態において、宅配ボックス１のロッカー１０の荷物の取り忘れの発生を配送管理サーバ２において判断しているが、宅配ボックス１において判断するようにしてもよい。例えば、宅配ボックス１において使用状態「使用中」のロッカー１０が解錠された場合において、主制御部１７は、このロッカー１０について、使用状態判断部１６により判断される使用状態が「使用中」のまま変化することなく、開閉センサ１４が扉の開閉を連続的に検出したときに、荷物の取り忘れが発生したと判断し、直ちに取り忘れ警告を出力するようにしてもよい。
【０１４５】
また、上記の実施の形態において、受取人情報記憶部２０１に記憶されている受取人情報のレコード２０１０のフィールド２０１４に登録されている固有鍵は、定期的に更新されるものでもよし、あるいは、受取人の受取人端末４に配送完了通知を送信するタイミングで更新し、この配送完了通知に更新後の固有鍵を含めて受取人に知らせてもよい。
【０１４６】
また、上記の実施の形態において、宅配ボックス１は、ロッカー１０毎に、重量センサ１３を設けているが、本発明はこれに限定されない。使用状態判断部１６がロッカー１０の使用状態を判断することができるものであれば、どのようなセンサであってもよい。例えば、重量センサ１３に代えて暗視カメラを設けて、ロッカー１０内を撮像し、このロッカー１０内の撮像データに基づいて、使用状態判断部１６に、ロッカー１０の使用状態を判断させてもよい。
【０１４７】
また、上記の実施の形態において、配送管理サーバ２から受取人端末４に送信する配送先指定指示に付加されている荷物情報に荷物内容を含めてもよい。ここで、例えば、荷物内容が要冷蔵品の場合には、冷蔵が必要なため、配送先指定指示に「自宅を配送先に指定する」旨の通知を含めてもよく、あるいは、配送先候補リストに自宅、勤務先等の地点情報のみを含めて、登録地点しか選択できないようにしてもよい。
【０１４８】
また、上記の実施の形態において、配送管理サーバ２の使用状態情報記憶部２０３に記憶されている各宅配ボックス１のテーブル２０３０（図１１参照）に、各ロッカー１０のサイズ情報をロッカー番号に対応付けて登録してもよい。そして、配送管理サーバ２は、配送人端末３から受信した配送先指定要求に付加されている荷物情報に基づいて、配送先候補宅配ボックスの絞込みを行って、選択可能なロッカー１０を、荷物を収容可能なロッカー１０のみに限定するようにしてもよい。
【０１４９】
また、上記の実施の形態において、配送管理サーバ２から受取人端末４に送信する配送先指定指示に付加されている配送先候補リストに含まれている配送先候補宅配ボックス情報に、設置位置情報として、宅配ボックスの設置位置を含む地図情報、宅配ボックスが設置されている駅名、コンビニ店舗名等を含めるようにしてもよい。
【０１５０】
また、上記の実施の形態において、受取人の地点情報が複数ある場合、配送管理サーバ２から受取人端末４へ地点選択指示を送信して、配送に利用する地点情報を受取人に選択させているが、選択された地点情報に対応する配送先候補宅配ボックスが存在しない場合、配送管理サーバ２は、その旨を受取人端末４に通知して、配送に利用する地点情報を受取人に再度選択させるようにしてもよい。
【０１５１】
また、上記の実施の形態において、配送管理サーバ２は、受取人端末４に配送先指定指示を送信してから所定時間内に、受取人端末４から配送先指定情報を受信しなかった場合、自宅、勤務先等の地点情報のなかから受取人に予め指定された地点情報、あるいは受取人に予め指定されたコンビニ店舗、宅配ボックス等を配送先に選定して、配送人端末３に配送先指定通知を送信するようにしてもよい。
【０１５２】
また、上記の実施の形態において、配送管理サーバ２は、受取人端末４に配送完了通知を送信してから所定時間内に荷物受取が完了したと判断できなかった場合、再度、受取人端末４に配送完了通知を送信して、荷物の受取を促すようにしてもよい。
【符号の説明】
【０１５３】
１、１−１〜１−ｎ：宅配ボックス、  ２：配送管理サーバ、  ３：配送人端末、  ４：受取人端末、  ５：ネットワーク、  ６：基地局、  １０：ロッカー、  １１：ネットワークインターフェース部、  １２：マンマシンインターフェース部、  １３：重量センサ、  １４：開閉センサ、  １５：施錠・解錠部、  １６：使用状態判断部、  １７：主制御部、  ２００：ネットワークインターフェース部、  ２０１：受取人情報記憶部、  ２０２：宅配ボックス情報記憶部、  ２０３：使用状態記憶部、  ２０４：地点登録要求処理部、  ２０５：使用状態管理部、  ２０６：配送先指定要求処理部、  ２０７：配送先指定受付部、  ２０８：扉開閉検出通知受信部、  ２０９：鍵情報・取り忘れ通知送信部、  ２１０：配送・受取完了通知部、  ２１１：宅配ボックス特定部、  ２１２：主制御部
【図１】
2019032754.tif 000003
【図２】
2019032754.tif 000004
【図３】
2019032754.tif 000005
【図４】
2019032754.tif 000006
【図５】
2019032754.tif 000007
【図６】
2019032754.tif 000008
【図７】
2019032754.tif 000009
【図８】
2019032754.tif 000010
【図９】
2019032754.tif 000011
【図１０】
2019032754.tif 000012
【図１１】
2019032754.tif 000013
【図１２】
2019032754.tif 000014
【図１３】
2019032754.tif 000015
【図１４】
2019032754.tif 000016
【図１５】
2019032754.tif 000017
【図１６】
2019032754.tif 000018